(57)【要約】【課題】設計の自由度を低下させることなく、外観上好ましい構成を実現できるプロジェクターを提供する。【解決手段】プロジェクター１は、吸気口２１Ｂを有する外装筐体２と、外装筐体２内部に配設され、吸気口２１Ｂを介して外装筐体２外部の空気を外装筐体２内部に導入する冷却ファンと、吸気口２１Ｂから冷却ファンに至る空気の流路中に配設され、吸気口２１Ｂを介して導入された空気に含まれる塵埃を捕捉するエアフィルター６と、吸気口２１Ｂ及びエアフィルター６間の流路中に配設され、複数の羽根板８２を有するルーバー８とを備える。複数の羽根板８２は、流路の上流側から見て、互いに重なるように形成されている。【選択図】図３
2012242538.tif 000002
【特許請求の範囲】
【請求項１】
吸気口を有する外装筐体と、
前記外装筐体内部に配設され、前記吸気口を介して前記外装筐体外部の空気を前記外装筐体内部に導入する冷却ファンと、
前記吸気口から前記冷却ファンに至る空気の流路中に配設され、前記吸気口を介して導入された空気に含まれる塵埃を捕捉するエアフィルターと、
前記吸気口及び前記エアフィルター間の前記流路中に配設され、複数の羽根板を有するルーバーとを備え、
前記複数の羽根板は、
前記流路の上流側から見て、互いに重なるように形成されている
ことを特徴とするプロジェクター。
【請求項２】
請求項１に記載のプロジェクターにおいて、
前記複数の羽根板は、
少なくとも一度、折れ曲がる形状を有している
ことを特徴とするプロジェクター。
【請求項３】
請求項１または請求項２に記載のプロジェクターにおいて、
前記エアフィルターは、
前記吸気口に対向するように配設されている
ことを特徴とするプロジェクター。
【発明の詳細な説明】
【技術分野】
【０００１】
本発明は、プロジェクターに関する。
【背景技術】
【０００２】
従来、プロジェクターにおいて、外装筐体内部に配設される冷却対象に空気を送風するために、外装筐体に形成された吸気口を介して外装筐体外部の空気を外装筐体内部に導入する冷却構造を備えた構成が知られている（例えば、特許文献１参照）。
特許文献１に記載の冷却構造は、吸気口を介して外装筐体外部の空気を外装筐体内部に導入する吸気ファンの他、吸気口から吸気ファンに至る空気の流路中に配設されるエアフィルターを備える。
そして、エアフィルターを上記位置に配設することで、吸気口から外装筐体内部に導入される空気に含まれる塵埃をエアフィルターにて捕捉し、外装筐体内部に配設される部材に塵埃が付着することを防止している。
【先行技術文献】
【特許文献】
【０００３】
【特許文献１】特開２０１０−２６６８８１号公報
【発明の概要】
【発明が解決しようとする課題】
【０００４】
しかしながら、特許文献１に記載の冷却構造では、吸気口を介して外装筐体外部からエアフィルターが視認され易い構造となっており、プロジェクターの外観が好ましいものとは言い難いものである。
特に、外装筐体の色と、エアフィルターの色とが異なる場合、例えば、外装筐体の色が黒で、エアフィルターの色が白の場合には、外装筐体外部からエアフィルターが視認され易いものとなる。
そして、プロジェクターの外観を好ましいものとするためには、外装筐体の色をエアフィルターの色に合わせる必要があり、設計の自由度が低下してしまう、という問題がある。
【０００５】
本発明の目的は、設計の自由度を低下させることなく、外観上好ましい構成を実現できるプロジェクターを提供することにある。
【課題を解決するための手段】
【０００６】
本発明のプロジェクターは、吸気口を有する外装筐体と、前記外装筐体内部に配設され、前記吸気口を介して前記外装筐体外部の空気を前記外装筐体内部に導入する冷却ファンと、前記吸気口から前記冷却ファンに至る空気の流路中に配設され、前記吸気口を介して導入された空気に含まれる塵埃を捕捉するエアフィルターと、前記吸気口及び前記エアフィルター間の前記流路中に配設され、複数の羽根板を有するルーバーとを備え、前記複数の羽根板は、前記流路の上流側から見て、互いに重なるように形成されていることを特徴とする。
【０００７】
本発明では、プロジェクターは、吸気口及びエアフィルター間に上述したルーバーが配設されている。
このことにより、ルーバーを構成する複数の羽根板が外装筐体内部の目隠しとなり、外装筐体外部からエアフィルターが視認され難い構造を実現できる。すなわち、プロジェクターの外観を好ましいものとすることができる。
また、プロジェクターの外観を好ましいものとするために外装筐体の色をエアフィルターの色に合わせる必要がなく、外装筐体を種々の色に設定でき、設計の自由度を低下させることがない。
【０００８】
本発明のプロジェクターでは、前記複数の羽根板は、少なくとも一度、折れ曲がる形状を有していることが好ましい。
本発明では、複数の羽根板が少なくとも一度、折れ曲がる形状を有しているので、ルーバーに対する流路上流側の種々の位置から見ても、複数の羽根板によりエアフィルターが全く視認できない構造を実現できる。
【０００９】
本発明のプロジェクターでは、前記エアフィルターは、前記吸気口に対向するように配設されていることが好ましい。
ところで、外装筐体外部からエアフィルターが視認され難い構造として、吸気口から冷却ファンに向けて延びるダクトを長く設定する（吸気口からエアフィルターに至る空気の流路を長く設定する）、あるいは、吸気口に対向しないようにエアフィルターを配設することが考えられる。
しかしながら、上記のように構成した場合には、冷却ファンによる空気の吸気効率が悪くなり、吸気口を介して外装筐体内部に導入した空気により冷却対象を効率的に冷却することが難しい。
本発明では、エアフィルターを吸気口に対向するように配設しても、上述した複数の羽根板が外装筐体内部の目隠しとなるため、冷却ファンによる空気の吸気効率を良好に維持でき、吸気口を介して外装筐体内部に導入した空気により冷却対象を効率的に冷却できる。
【図面の簡単な説明】
【００１０】
【図１】本実施形態におけるプロジェクターの外観構成を模式的に示す斜視図。
【図２】本実施形態における吸気装置の構成を模式的に示す図。
【図３】本実施形態における吸気口に取り付けられたルーバーを前面側から見た図。
【発明を実施するための形態】
【００１１】
以下、本発明の実施の一形態を図面に基づいて説明する。
〔プロジェクターの構成〕
図１は、本実施形態におけるプロジェクター１の外観構成を模式的に示す斜視図である。
なお、以下では、説明の便宜上、後述する投射レンズ３Ａが配置される側を「前面」とし、その反対側を「背面」とする。
プロジェクター１は、画像を投射してスクリーン（図示略）上に投影画像を表示する。
このプロジェクター１は、図１に示すように、外装を構成する外装筐体２と、光学ユニット３と、吸気装置４（図２参照）等を備える。
【００１２】
〔外装筐体の構成〕
外装筐体２は、図１に示すように、前面側に位置する前壁部２１と、背面側に位置する後壁部２２と、前面側から見て左側及び右側にそれぞれ位置する左壁部２３及び右壁部２４と、上側及び下側にそれぞれ位置する天面部２５及び底面部２６とを備え、略直方体形状を有する。
この外装筐体２において、前壁部２１の略中央位置には、図１に示すように、投射レンズ３Ａの一部を外部に露出させ、投射レンズ３Ａを介して投射される画像を通過させるための開口部２１Ａが形成されている。
また、前壁部２１において、開口部２１Ａに対して前面側から見て右側には、外装筐体２外部の空気を外装筐体２内部に取り込むための吸気口２１Ｂが形成されている。
さらに、前壁部２１において、開口部２１Ａに対して前面側から見て左側には、外装筐体２内部の空気を外装筐体２外部に排出するための排気口２１Ｃが形成されている。
【００１３】
〔光学ユニットの構成〕
光学ユニット３は、種々の一般的なプロジェクターで利用されているため、具体的な図示及び説明は省略するが、光源ランプを有する光源装置と、光源装置から出射された光束を変調する液晶パネル等の光変調装置と、光変調装置にて変調された光束を投射する投射光学装置としての投射レンズ３Ａ（図１）等を備える。
【００１４】
〔吸気装置の構成〕
図２は、吸気装置４の構成を模式的に示す図である。具体的に、図２は、天面部２５や底面部２６に略平行となる平面にて吸気装置４を切断した断面を上方から見た図である。
吸気装置４は、吸気口２１Ｂを介して外装筐体２外部の空気を導入する。
この吸気装置４は、図２に示すように、冷却ファン５と、エアフィルター６と、ファン筐体７と、ルーバー８とを備える。
冷却ファン５は、図２に示すように、空気を吸入する吸入口５１、及び空気を吐出する吐出口５２を有し、吸入口５１からファン回転軸Ａｘに沿って空気を吸入し、吐出口５２からファンの回転接線方向に吐出する、所謂シロッコファンで構成されている。
【００１５】
エアフィルター６は、吸気口２１Ｂから冷却ファン５に至る空気の流路中に配設され、吸気口２１Ｂから導入された空気に含まれる塵埃を捕捉する。
このエアフィルター６は、図２に示すように、フィルター本体６１と、支持枠６２とを備える。
フィルター本体６１は、塵埃を捕捉する部分であり、本実施形態では、静電フィルターで構成されている。
より具体的には、フィルター本体６１は、静電気を帯電させた高分子繊維をプリーツ加工することにより、表面積を拡大させて塵埃の捕集効率を向上させている。
【００１６】
支持枠６２は、ファン筐体７における後述する筐体本体７１の内面に嵌合する略矩形枠形状を有し、枠状内部にてフィルター本体６１を支持する。
なお、本実施形態では、エアフィルター６は、ファン筐体７により、吸気口２１Ｂに対向するように配設されるとともに、当該エアフィルター６の中心位置Ｃ１が吸気口２１Ｂの中心位置Ｃ２に対してずれるように配設されている（図３参照）。
また、エアフィルター６は、吸気口２１Ｂの開口面積よりも大きい外形形状を有するように形成されている（図３参照）。
【００１７】
ファン筐体７は、冷却ファン５及びエアフィルター６が内部に収納されるとともに、ルーバー８と接続する部分である。
そして、ファン筐体７は、図２に示すように、筐体本体７１と、接続部７２とを備える。
筐体本体７１は、前後方向（前面側から背面側への方向）に延び、前面側が開口した略直方体形状を有する。
この筐体本体７１において、背面側の側壁の一部には、図２に示すように、筐体本体７１内部の空気を筐体本体７１外部に排出するための排出口７１１が形成されている。
そして、冷却ファン５は、図２に示すように、吸入口５１が上方に向き、吐出口５２が背面側に向いて排出口７１１に接続するように、筐体本体７１の底面に取り付けられる。
また、エアフィルター６は、図２に示すように、筐体本体７１における前面側の開口部分７１２に嵌合する。
【００１８】
接続部７２は、筐体本体７１における開口部分７１２に接続する略筒形状を有する。
そして、接続部７２は、図２に示すように、開口部分７１２との接続位置から、内部の流路面積を減少させながら、前面右側（ファン筐体７が外装筐体２内部に取り付けられた状態で、右壁部２４側）に延びるように形成されている。
そして、ファン筐体７は、内部に配設されたエアフィルター６が吸気口２１Ｂに対向し（図３参照）、接続部７２が吸気口２１Ｂに向けて延びるように外装筐体２内部に配設される。
【００１９】
ルーバー８は、吸気口２１Ｂに着脱自在に取り付けられる。すなわち、ルーバー８は、吸気口２１Ｂから冷却ファン５に至る流路において、吸気口２１Ｂ及びエアフィルター６間の流路中に配設される。そして、ルーバー８は、吸気口２１Ｂに取り付けられた状態でファン筐体７の接続部７２に接続し、吸気口２１Ｂを介して導入される空気を接続部７２に導く。
このルーバー８は、図１または図２に示すように、支持枠８１と、複数の羽根板８２とを備える。
支持枠８１は、前面側から見て、略矩形枠状に形成されている。
複数の羽根板８２は、支持枠８１における上下の内壁間に架設され、左右方向に沿って所定のピッチで並設されている。
【００２０】
図３は、吸気口２１Ｂに取り付けられたルーバー８を前面側から見た図である。
具体的に、複数の羽根板８２の少なくとも一部の羽根板８２Ａは、図２に示すように、前面側から背面左側（左壁部２３側）に向けて延びる第１リブ８２Ａ１と、第１リブ８２Ａ１の背面側の端部に接続し、当該接続位置から、第１リブ８２Ａ１に略直交して、背面右側（右壁部２４側）に向けて延びる第２リブ８２Ａ２とを備える。すなわち、羽根板８２Ａは、１度、折れ曲がる形状を有している。
そして、複数の羽根板８２は、第１，第２リブ８２Ａ１，８２Ａ２の延出方向の長さや、前記ピッチ等を適宜調整することで、図３に示すように、前面側（吸気口２１Ｂから冷却ファン５に至る空気の流路上流側）から見て、互いに重なるように形成されている。
なお、図３では前面側から見た状態を示しているが、複数の羽根板８２は、第１リブ８２Ａ１の延出方向に沿う方向から見た場合であっても、第１リブ８２Ａ１に略直交して延出する第２リブ８２Ａ２同士が互いに重なるように形成されている。
【００２１】
そして、吸気装置４は、上述したように形成されていることにより、冷却ファン５の駆動により、外装筐体２外部の空気を以下に示すように内部に導くこととなる。
すなわち、外装筐体２外部の空気は、冷却ファン５の駆動により、図２に矢印で示すように、吸気口２１Ｂを介して外装筐体２内部に導入される際、複数の羽根板８２により整流されつつ、斜め方向からエアフィルター６に衝突する。
エアフィルター６に衝突した空気は、エアフィルター６にて塵埃が捕捉され、清浄化された後、冷却ファン５の吸入口５１に吸入される。
そして、冷却ファン５に吸入された空気は、吐出口５２を介して吐出され、排出口７１１を介してファン筐体７外部に排出され、図示しないダクトを介して、冷却対象に向けて導かれる。
【００２２】
上述した本実施形態によれば、以下の効果がある。
本実施形態では、プロジェクター１は、吸気口２１Ｂ及びエアフィルター６間にルーバー８が配設されている。
このことにより、ルーバー８を構成する複数の羽根板８２が外装筐体２内部の目隠しとなり、外装筐体２外部からエアフィルター６が視認され難い構造を実現できる。すなわち、プロジェクター１の外観を好ましいものとすることができる。
また、プロジェクター１の外観を好ましいものとするために外装筐体２の色をエアフィルター６の色に合わせる必要がなく、外装筐体２を種々の色に設定でき、設計の自由度を低下させることがない。
【００２３】
また、複数の羽根板８２Ａが一度、折れ曲がる形状を有しているので、ルーバー８に対する前面側の種々の位置から見ても、複数の羽根板８２Ａによりエアフィルター６が全く視認できない構造を実現できる。
さらに、エアフィルター６を吸気口２１Ｂに対向するように配設しても、複数の羽根板８２が外装筐体２内部の目隠しとなるため、冷却ファン５による空気の吸気効率を良好に維持でき、吸気口２１Ｂを介して外装筐体２内部に導入した空気により冷却対象を効率的に冷却できる。
【００２４】
なお、本発明は前述の実施形態に限定されるものではなく、本発明の目的を達成できる範囲での変形、改良等は本発明に含まれるものである。
前記実施形態では、本発明に係る吸気ファンとしてシロッコファンを採用したが、これに限らない。例えば、冷却ファンとしては、ファン回転軸に沿って吸入及び吐出する軸流ファンや、ファン回転軸を中心として回転し、回転方向に対して後向きに曲がった複数の羽根が外周に一体化される羽根車を有するターボファンを採用しても構わない。
前記実施形態において、複数の羽根板８２の形状は、前記実施形態で説明した形状に限らず、前面側から見た場合に複数の羽根板８２が互いに重なる形状であれば、いずれの形状でも構わない。
前記実施形態では、フロント投射型のプロジェクターの例のみを挙げたが、本発明は、スクリーンを備え、当該スクリーンの裏面側から投射を行うリアタイプのプロジェクターにも適用可能である。
【産業上の利用可能性】
【００２５】
本発明は、プレゼンテーションやホームシアター等に用いられるプロジェクターに利用できる。
【符号の説明】
【００２６】
１・・・プロジェクター、２・・・外装筐体、５・・・冷却ファン、６・・・エアフィルター、８・・・ルーバー、２１Ｂ・・・吸気口、８２・・・複数の羽根板。
【図１】
2012242538.tif 000003
【図２】
2012242538.tif 000004
【図３】
2012242538.tif 000005